(57)【要約】【課題】例えば遊技機器の近傍に紙幣等の紙片を確実に保持でき、また携帯容易で遊技機器に対する場所替え等によっても別の遊技機器に簡単に取り付けできるようにする。【解決手段】収納部２を有し、器壁が柔軟性ある伸張自在な素材によっていわば壷状を呈する携帯ケース体１を形成する。この携帯ケース体１には挟着支持体１０を収納保持可能にする。挟着支持体１０自体は、縮小傾向に弾発付勢されたコイルスプリング製の挟持体１３を伸張自在にして前後の連結キャップ１１，１２相互間に連繋固定し、後連結キャップ１２背面に粘着材１５を配して、収納部２内に強制的に収納する。挟持体１３は、前後の連結キャップ１１，１２内に固定した円枠状の固定部１４外周側面にネジ止めしてある。また、携帯ケース体１には、ストラップ５を連結する。【選択図】図１
0003122738.tif 000002
【実用新案登録請求の範囲】
【請求項１】
収納部を有し、器壁が柔軟性ある伸張自在な素材によって形成された携帯ケース体と、縮小傾向に弾発付勢されたコイルスプリング製の挟持体を伸張自在にして前後の連結キャップ相互間に連繋固定し、後連結キャップ背面に粘着材を配して、収納部内に強制的に収納される挟着支持体とから成ることを特徴とする紙片挟み具。
【請求項２】
携帯ケース体には、ストラップを連結してある請求項１に記載の紙片挟み具。
【請求項３】
挟持体は、前後の連結キャップ内に設けた円枠状の固定部外周側面にネジ止めしてある請求項１または２に記載の紙片挟み具。
【考案の詳細な説明】
【技術分野】
【０００１】
この考案は例えばパチスロ機、パチンコ機等の遊技機器が設置されている遊技場等でゲーム者が紙幣等の現金を投入使用してゲームする場合、その紙幣等を遊技機器における例えば正面周囲枠の適位置に仮止め状に保持できるようにし、また紙幣に限らず各種の紙片等の一時的な保持固定を図れるようにした携帯式の紙片挟み具に関する。
【背景技術】
【０００２】
従来から遊技機器が設置されている遊技場においては、ゲーム者が紙幣等の現金の投入によって遊戯用のメダル・遊技球等を購入してゲームを進行させている。特にゲーム者はゲーム進行に伴い紙幣等の投入による購入が頻繁となることがあるから、紙幣等を例えば手指の間に挟み込んで保持しておき、そこから抜き取るようにして投入使用している。
【特許文献１】特になし
【考案の開示】
【考案が解決しようとする課題】
【０００３】
ところがこのように手指の間に挟み込んでおくと、遊技機器の操作は常時片手だけのものとなる。そのため例えば操作のために利き手を一時的に交換したり、例えば喫煙のために空いている手でタバコに着火したりする場合等に、紙幣等を保持している手を交換し、持ち替える必要がある。そうすると、ゲーム進行がゲーム者にとって好調であるとき等では、その験（ゲン）を担ぐために躊躇することもあり、面倒である。
【０００４】
また、手指の間に紙幣等を挟み込んでいるため、ゲーム進行に夢中になると思わず落としてしまったり、紛失してしまったりすることがあり、その管理はゲーム者にとって重要なことでもある。
【０００５】
そこでこの考案は叙上のような従来存した諸事情に鑑み案出されたもので、その目的は、ゲーム者の手指を使用することなく、ゲーム進行に使用する現金となる紙幣等を身近に保管保持できるようにすることにある。しかも、遊技機器の操作に両手を使用でき、ゲーム進行の障害となる状況・事態等を予め取り除き、スムーズにゲームを進行できるようにすることにある。また、携帯容易にして移動後の別の遊技機器にも簡単に取り付け使用でき、更には一般的な紙片等も保持できる紙片挟み具を提供することにある。
【課題を解決するための手段】
【０００６】
上述した課題を解決するため、この考案にあっては、収納部２を有し、器壁が柔軟性ある伸張自在な素材によって形成された携帯ケース体１と、縮小傾向に弾発付勢されたコイルスプリング製の挟持体１３を伸張自在にして前後の連結キャップ１１，１２相互間に連繋固定し、後連結キャップ１２背面に粘着材１５を配して、収納部２内に強制的に収納される挟着支持体１０とから成る。
携帯ケース体１には、ストラップ５を連結してある。
挟持体１３は、前後の連結キャップ１１，１２内に設けた円枠状の固定部１４外周側面にネジ止めしてある。
【０００７】
以上のように構成されたこの考案に係る紙片挟み具にあって、携帯ケース体１の収納部２内に収納した挟着支持体１０を取り出し、後連結キャップ１２背面の粘着材１５にて適当箇所に貼着し、コイルスプリング製の挟持体１３における捻回部分の空間にて紙片Ｐを挟み込ませる。
このときの挟持体１３は縮小傾向に弾発付勢されていることで、挟み込ませた紙片Ｐを複数葉でも確実に支持し、また紙片Ｐの必要時では強制的にでも抜き取らせる。
挟持体１３の後連結キャップ１２背面の粘着材１５は、適当箇所例えば遊技機器の枠部分等に挟持体１３自体を簡単に着脱させ、携帯ケース体１内に収納して携帯可能であることと相俟ち、各所において利用可能にさせる。
挟着支持体１０を収納する携帯ケース体１は、器壁の柔軟性と相俟ち、収納部２内に強制的にでも収納された挟着支持体１０をこれの周囲をしっくりと囲繞して保持し、また粘着材１５を隠蔽保護した状態で携帯させる。
【考案の効果】
【０００８】
この考案は以上説明したように構成されているため、遊技場における例えばパチスロ機、パチンコ機等で紙幣の投入等によってゲームを進行させるとき、その紙幣等を遊技機器の近傍で身近に保管保持できる。しかも、遊技機器の操作に両手を使用でき、ゲーム進行の障害となる状況・事態等を予め取り除き、スムーズにゲームを進行できる。また、携帯容易にして移動後の別の遊技機器にも簡単に取り付け使用でき、更には一般的な紙片等も簡単に保持できる。
【０００９】
すなわち、これはこの考案において、柔軟性ある伸張自在な携帯ケース体１と、縮小傾向にあるコイルスプリング製の挟持体１３を備え、背面に粘着材１５を配した挟着支持体１０とから成るからであり、これによって、所定箇所への着脱自在な取り付け、紙片Ｐの確実な保持、粘着材１５を保護しての収納携帯等の取り扱い性に優れたものとできる。
【００１０】
また携帯ケース体１は、収納部２を有し、器壁が柔軟性ある伸張自在な素材によって形成されているから、携帯ケース体１自体を伸張させながらも収納部２内に挟着支持体１０を挿入することで収納保管できる。収納後では、器壁が挟着支持体１０の周囲にしっくりと囲繞したものとなり、挟着支持体１０の粘着材１５を外部に晒すことなく保管でき、また携帯も容易にしている。
【００１１】
挟着支持体１０は、縮小傾向に弾発付勢されたコイルスプリング製の挟持体１３を伸張自在にして前後の連結キャップ１１，１２相互間に連繋固定し、後連結キャップ１２背面に粘着材１５を配して形成してある。そのため、挟持体１３を伸張させて得た捻回部分の空間内に紙片Ｐを位置させ、その伸張力を解除することで紙片Ｐを確実に挟着支持でき、紙幣等であっても紛失させずに保持保管できる。また粘着材１５の粘着作用で所定箇所に貼付でき、逆に貼付箇所面から強制的に剥離し、必要箇所に再度貼付することで貼着支持箇所を簡単に変更もできる。
【００１２】
携帯ケース体１に連結したストラップ５は、例えば携帯電話機等にこの考案挟み具を簡単に連繋させ、通常では常時携行する携帯電話機Ｔから挟着支持体１０を取り外すことで簡単に使用できる。
【００１３】
挟着支持体１０における挟持体１３は、前後の連結キャップ１１，１２内に設けた円枠状の固定部１４外周側面にネジ止めしてあるから、簡単に連結固定でき、繰り返される挟持体１３の伸張、縮小で分離・分解され、外れることもない。
【００１４】
尚、上記の課題を解決するための手段、考案の効果の項夫々においての符号は、図面中に記載した構成各部を示す部分との参照を容易にするために付記した。図面中の符号によって示された構造・形状にこの考案が限定されるものではない。
【考案を実施するための最良の形態】
【００１５】
以下図面を参照してこの考案を実施するための最良の一形態を説明すると、図において示される符号１はいわば壷状を呈する携帯ケース体であり、紙幣等の紙片Ｐを挟着する後述する挟着支持体１０を強制的にでも一時的に収納して携帯させる。
【００１６】
携帯ケース体１は、挟着支持体１０を挿入させる着脱開口３によって開放されている収納部２を備えた器状に形成されている。器壁自体は伸張可能な柔軟性を有する素材によって形成されており、着脱開口３から挟着支持体１０が挿入されるとき、携帯ケース体１が伸張することで収納部２内にきっちりと挟着支持体１０を収納支持する。尚、収納部２の奥底側面は後述する挟着支持体１０における粘着材１５が貼着されても、この粘着材１５が残置されることなく容易に剥離される易剥離面に形成されている。
【００１７】
伸張時の収納部２は後述するように縮小時の挟着支持体１０を収納するに足りる容積を有し、挟着支持体１０が収納されていない非伸張時すなわち不使用時は挟着支持体１０の外形に比しやや小さくされている。
【００１８】
着脱開口３は携帯ケース体１の側部に開口されていて、挟着支持体１０の外形に対応した形状例えば図示のように円形状を呈する。挟着支持体１０を収納部２内に収納支持したとき、挟着支持体１０の前面すなわち後述の前連結キャップ１１が着脱開口３を閉塞し、携帯ケース体１と一体的な外観を呈するように工夫してある。
【００１９】
また携帯ケース体１には、携帯ケース体１自体を吊り下げ使用できるように、例えば携帯電話機Ｔにおけるストラップ孔に挿入係止できるストラップ５を連結してある。
【００２０】
一方、挟着支持体１０は、前後に配したカップ状の連結キャップ１１，１２相互間に縮小傾向に弾発付勢させてあるコイルスプリング状の挟持体１３を連結して成る。前部に位置する前連結キャップ１１、後部に位置する後連結キャップ１２夫々には、相互間に連結した挟持体１３が縮小されたときそれらの開口面相互が当接し、内部に挟持体１３がすっぽりと収納隠蔽されるようにした凹部状の収納空洞部が形成されている。この連結キャップ１１，１２自体は正面からみて基本的には円形状を呈するも、場合によっては三角形、矩形等の多角形に形成されることもある。もとより、多角形に形成された場合にはこれに対応して携帯ケース体１の着脱開口３も多角形のものとして形成される（図示せず）。
【００２１】
前後の連結キャップ１１，１２は、収納空洞部の奥底側部面に挟持体１３を固定する突部状の固定部１４を有する。この固定部１４は、例えば不連続な円枠状にして収納空洞部の奥底側部面に突設形成されており、これの例えば外周側面に挟持体１３の端部をネジ込み状に嵌め合わせる螺旋状の溝条を形成してある。そしてコイルスプリング状の挟持体１３の端部が位置合わせされて所定回転数でネジ込まれることで、連結キャップ１１，１２相互間に挟持体１３が連結配置される。
【００２２】
挟持体１３は、所定径のスプリング鋼線材を所定回数で捻回させて成り、伸張されたときの拡張される捻回部分に紙片Ｐが挿入され、縮小したときに挟み込まれ支持されるものとしてある。
【００２３】
また前連結キャップ１１前面には、必要があれば化粧模様が付されており、場合によっては外側方に突出される所定の外形状とされることもある。後連結キャップ１２の背面には、被貼着面に対して剥離自在にしてある粘着材１５が例えば薄膜状にして積層形成されている。この粘着材１５は被貼着面に対する繰り返しの貼着、剥離を可能にする粘着性と剥離性とを有する。
【００２４】
次にこれの使用の一例を説明する。挟持体１３を縮小して前後の連結キャップ１１，１２相互間に収納した状態にした挟着支持体１０を携帯ケース体１の収納部２内に、器壁を伸張しながらも強制的に挿入し、収納しておく。そしてストラップ５にて例えば携帯電話機Ｔに連繋しておく（図３参照）。例えば遊技場等の遊技機器Ｓ面で紙幣等の紙片Ｐを保持するには、携帯ケース体１から挟着支持体１０を取り出し、後連結キャップ１２の後面に設けてある粘着材１５にて例えば遊技機器Ｓの正面周囲枠の適位置に貼着する（図２参照）。次いで前連結キャップ１１を摘んで引っぱり、伸張した挟持体１３における挟持空間内に紙片Ｐを挿入し、前連結キャップ１１を元の位置に戻す。すると挟持体１３が縮小して紙片Ｐをしっかりと挟持する。ゲーム進行上、紙幣を必要とするときは、必要とする紙片Ｐを強制的にでも挟持体１３から抜き取り、使用すればよい。このとき紙片Ｐは、挟持体１３における捻回されている１ピッチが形成する個々の挟持空間内に１枚ずつで挟持するも、複数枚で挟持するも任意に選択できる。
【００２５】
その後、ゲームが終了等したり、遊技機器Ｓを変更すべく場所換えをしたりするときには挟着支持体１０自体を遊技機器Ｓから強制的に引き剥がし、挟着支持体１０を携帯ケース体１内に収納する。収納に際し、縮小状態とした挟着支持体１０を携帯ケース体１の器壁を強制的にでも伸張し、収納部２内に挿入すれば良い。
【図面の簡単な説明】
【００２６】
【図１】この考案を実施するための最良の形態を示す分解斜視図である。
【図２】同じく使用状態の斜視図である。
【図３】同じく携帯用ケース体と紙幣挟み体との分解断面図である。
【図４】同じく紙片挟み体における挟着スプリングの固定状態を表す断面図である。
【図５】同じく携帯時の斜視図である。
【符号の説明】
【００２７】
Ｐ…紙幣                                Ｓ…遊技機器
Ｔ…携帯電話機
１…携帯ケース体                        ２…収納部
３…着脱開口                            ５…ストラップ
１０…挟着支持体                        １１…前連結キャップ
１２…後連結キャップ                    １３…挟持体
１４…固定部                            １５…粘着材
【図１】
0003122738.tif 000003
【図２】
0003122738.tif 000004
【図３】
0003122738.tif 000005
【図４】
0003122738.tif 000006
【図５】
0003122738.tif 000007